(57)【特許請求の範囲】
【請求項１】
機器本体（１）の後壁の下端部に、左右間にわたって凹み形成されて、後ろ向きに開口する凹入空間（１５）と、
前記機器本体（１）の左右の横側壁（１６）のそれぞれに開設されて、前記凹入空間（１５）に臨む窓口（２６）と、
前記窓口（２６）を塞ぐように、前記機器本体（１）の横側壁（１６）に着脱自在に取り付けられる管用パネル（２７）とを備え、
機器本体（１）内に水を取り入れるための給水管（１１）と、機器本体（１）から排水するための排水管（１２）とが、前記管用パネル（２７）に設けられた引出口（３１）を介して機器本体（１）内から機器本体（１）外へ引き出されており、
前記管用パネル（２７）は、正方四角形状に形成された板体であり、該管用パネル（２７）には、前記給水管（１１）と前記排水管（１２）とを通すための真円状の引出口（３１・３１）が二つ開設されており、両引出口（３１・３１）の径寸法は同寸法に設定されており、
両引出口（３１・３１）は正方四角形の管用パネル（２７）の中心位置から偏した部位に設けられており、
両引出口（３１・３１）は管用パネル（２７）の外縁を構成する正方四角形の四辺のうちの一つの辺に沿って設けられており、
前記管用パネル（２７）の中心位置と前記引出口（３１）の円中心とで規定される、該引出口（３１）の管用パネル（２７）の中心位置からの間隔距離は、両引出口（３１・３１）において同距離に設定されており、
前記管用パネル（２７）の正方四角形の四隅には、ビス（２９）の挿通を許すビス用の通孔が設けられており、各通孔に対応して前記窓口（２６）の周縁にはビス孔が設けられており、該管用パネル（２７）は、機器本体（１）の横側壁（１６）に対して９０度ずつ回転させた任意の姿勢で取付可能に構成されており、
前記管用パネル（２７）を９０度ずつ回転させることにより、両引出口（３１・３１）が後方の上下に並ぶ位置と、両引出口（３１・３１）が下方の前後に並ぶ位置と、両引出口（３１・３１）が前方の上下に並ぶ位置と、両引出口（３１・３１）が上方の前後に並ぶ位置の、四つの位置から選択される一つの任意の位置に、両引出口（３１・３１）の開口位置を変更することができるように構成されていることを特徴とする水利用機器。  
【発明の詳細な説明】
【技術分野】
【０００１】
本発明は、製氷機や食器洗い機などの水利用機器に関する。
【背景技術】
【０００２】
製氷機においては、特許文献１に示すごとく、水道水を供給して製氷する際に、オーバーフローしたり、あるいは製氷後に残った水道水は排水溝などへ排出する。そのため、製氷機の機器本体には、給水管や排水管を引き出すための引出口が設けられている。
【０００３】
【特許文献１】特開平７−７７３７３号公報（段落番号００１３−００１７、図１）
【特許文献２】特開平７−２９４０７８号公報（段落番号００２３、図１）
【特許文献３】特開平７−２９４０８０号公報（段落番号００１１、図１）
【発明の開示】
【発明が解決しようとする課題】
【０００４】
例えば、製氷機の設置現場では、隣に冷蔵庫などが配されることが多い。その場合に、製氷機本体の給排水管の引出口が、隣の冷蔵庫の脚などに臨むことがある。こうなると、隣の機器が邪魔になって、給排水管をそのまま引出口から引き出すことが困難になる。この対策としては、製氷機または隣の機器の設置位置をずらすしかなく、設置スペース上の制約を受けていた。
【０００５】
そこで本発明の目的は、他の機器が隣接しているような場合にも、設置現場において導水管の引出口の位置を臨機応変にずらして対応できるようにした水利用機器を提供することにある。
【課題を解決するための手段】
【０００６】
本発明に係る水利用機器は、機器本体１の後壁の下端部に、左右間にわたって凹み形成されて、後ろ向きに開口する凹入空間１５と、前記機器本体１の左右の横側壁１６のそれぞれに開設されて、前記凹入空間１５に臨む窓口２６と、前記窓口２６を塞ぐように、前記機器本体１の横側壁１６に着脱自在に取り付けられる管用パネル２７とを備える。機器本体１内に水を取り入れるための給水管１１と、機器本体１から排水するための排水管１２とが、前記管用パネル２７に設けられた引出口３１を介して機器本体１内から機器本体１外へ引き出されており、前記管用パネル２７は、正方四角形状に形成された板体であり、該管用パネル２７には、前記給水管１１と前記排水管１２とを通すための真円状の引出口３１・３１が二つ開設されており、両引出口３１・３１の径寸法は同寸法に設定されており、両引出口３１・３１は正方四角形の管用パネル２７の中心位置から偏した部位に設けられており、両引出口３１・３１は管用パネル２７の外縁を構成する正方四角形の四辺のうちの一つの辺に沿って設けられており、前記管用パネル２７の中心位置と前記引出口３１の円中心とで規定される、該引出口３１の管用パネル２７の中心位置からの間隔距離は、両引出口３１・３１において同距離に設定されており、前記管用パネル２７の正方四角形の四隅には、ビス２９の挿通を許すビス用の通孔が設けられており、各通孔に対応して前記窓口２６の周縁にはビス孔が設けられており、該管用パネル２７は、機器本体１の横側壁１６に対して９０度ずつ回転させた任意の姿勢で取付可能に構成されており、前記管用パネル２７を９０度ずつ回転させることにより、両引出口３１・３１が後方の上下に並ぶ位置と、両引出口３１・３１が下方の前後に並ぶ位置と、両引出口３１・３１が前方の上下に並ぶ位置と、両引出口３１・３１が上方の前後に並ぶ位置の、四つの位置から選択される一つの任意の位置に、両引出口３１・３１の開口位置を変更することができるように構成されていることを特徴とする。
【発明の効果】
【００１０】
本発明においては、管用パネル２７を正方四角形状に形成された板体とし、該管用パネル２７に給水管１１と排水管１２とを通すための真円状の引出口３１・３１を二つ開設し、両引出口３１・３１の径寸法を同寸法に設定し、両引出口３１・３１を正方四角形の管用パネル２７の中心位置から偏した部位に設け、両引出口３１・３１を管用パネル２７の外縁を構成する正方四角形の四辺のうちの一つの辺に沿って設け、管用パネル２７の中心位置と引出口３１の円中心とで規定される、引出口３１の管用パネル２７の中心位置からの間隔距離を両引出口３１・３１において同距離に設定し、管用パネル２７の正方四角形の四隅に、ビス２９の挿通を許すビス用の通孔を設け、各通孔に対応して窓口２６の周縁にビス孔を設けて、管用パネル２７を機器本体１の横側壁１６に対して９０度ずつ回転させた任意の姿勢で取付可能に構成し、管用パネル２７を９０度ずつ回転させることにより、両引出口３１・３１が後方の上下に並ぶ位置と、両引出口３１・３１が下方の前後に並ぶ位置と、両引出口３１・３１が前方の上下に並ぶ位置と、両引出口３１・３１が上方の前後に並ぶ位置の、四つの位置から選択される一つの任意の位置に、両引出口３１・３１の開口位置を変更することができるように構成したので、機器本体１に取り付けた管用パネル２７の窓口２６の位置が、設置現場において隣の冷蔵庫などとの関係で配管上の不都合を生じたとき、管用パネル２７をいったん外して所定角度（９０度）だけ回転したのち機器本体１に付け直すことにより、引出口３１の位置を、上記四つの位置のいずれかの位置にずらすことができ、機器本体１の設置場所を敢えて動かさずとも配管作業を支障なく行うことができる。また、１枚の管用パネル２７の取り付け姿勢を現場で変えるだけであるから、設置作業が現場にて手軽に行え、多種類の管用パネル２７を用意する手間や製造コストを削減することができる。
【発明を実施するための最良の形態】
【００１３】
図面は、本発明の実施例としての製氷機を示す。図４および図５において直方体形状の機器本体１内には、前面が開口する製氷室２と、この製氷室２の下側に設けた機械室３と、製氷室２内の空間上部に配された製氷ユニット５とを有する。製氷室２は断熱壁で囲まれており、製氷ユニット５で生成された氷は製氷室２内の空間下部に貯蔵される。製氷室２の開口前面には開閉扉６が配されている。
【００１４】
図５において製氷ユニット５は、氷生成用の水道水を蓄える給水タンク７と、多数の立方体形状の氷を一度に生成する製氷部９と、給水タンク７内の水を製氷部９へ供給する給水ポンプ１０と、給水タンク７に水道水を取り入れるための給水管１１と、製氷後に給水タンク７内に残った水道水を排水管１２に案内する排水パン１３とを備えている。給水管１１および排水管１２は、可撓性を有するフレキシブル管とした。
【００１５】
給水タンク７は、製氷後に図５の仮想線に示す傾斜姿勢に揺動することで、タンク内に残った水道水を排水パン１３に排出する。排水パン１３内の水道水は、排水管１２を通って排水溝に排出される。
【００１６】
機器本体１の後壁の下端部には、図１および図２に示すごとく、機器本体１の内部とは仕切られて後ろ向きに開口する凹入空間１５が左右間にわたってが凹み形成されている。凹入空間１５は、機器本体１の後壁を構成する後面パネル１５ａを断面コ字状に折り曲げて形成されている。
【００１７】
凹入空間１５の上壁１９には、図３に示すごとく左右に導出口２０・２１がそれぞれ設けられており、給水管１１および排水管１２は、この各導出口２０・２１を介して機器本体１の内部から凹入空間１５に導出されている。
【００１８】
給水タンク７には、１回の製氷に必要な量の水道水が供給されて貯蔵される。機械室３内には、図５に示すごとく、製氷および製氷室２内を冷却するための冷却装置２２を配する。製氷室２内には、製氷および製氷室２内の冷却用の熱交換器２３を有し、この熱交換器２３に前記冷却装置２２が接続されている。冷却装置２２は、圧縮機２４、凝縮機２５および膨張弁などを備えている。
【００１９】
機器本体１の左右の横側壁１６・１６には、図１および図６に示すごとく、凹入空間１５の左右端にそれぞれ臨む比較的大きな窓口２６・２６が形成されている。凹入空間１５の左右端がそのまま窓口２６・２６になっていてもよい。機器本体１の各横側壁１６には、各窓口２６の外側を塞ぐ正方形の管用パネル２７がそれぞれ着脱自在に取り付けられている。横側壁１６に対して管用パネル２７は、これの四隅部をビス２９で止めることにより着脱できる。
【００２０】
各管用パネル２７には、一対の引出口３１・３１がこれの中心位置から偏した部位、図１および図６の標準位置からみたとき後方側（図６の右側）に偏した部位に上下に設けてあり、両引出口３１・３１が前記窓口２６に通じている。
【００２１】
いま、図６に示すごとく、製氷機の機器本体１に対して、例えば冷蔵庫３２が隣接状態で設置される場合を想定する。管用パネル２７の両引出口３１・３１が、後方側の上下に位置する図６の状態において、冷蔵庫の脚３２との関係で支障がないときは、そのまま引出口３１・３１に給水管１１と排水管１２とを挿通して配管する。
【００２２】
しかし、製氷機の機器本体１と冷蔵庫３２とが図７の配置状態になるときは、機器本体１の横側壁１６に対して管用パネル２７を１８０°回転して（上下を逆にして）付け直す。これだけで、管用パネル２７の引出口３１・３１は、前方側に偏した上下に位置することになる。これにて、かなりの融通性を以て隣の冷蔵庫が邪魔にならないように給排水管１１・１２を配管できることになる。つまり、製氷機の機器本体１と、冷蔵庫３２などの隣の機器とは、いちいち設置位置をずらすまでもなく、設置現場にて作業員が臨機応変に対応できることになる。
【００２３】
図示例の全容は以上のようになっているが、管用パネル２７に対して引出口３１が管用パネル２７の中心位置から上下の一側方に偏した部位に設けられてもよいことは言うまでもない。また、管用パネル２７は長方形状でもよいが、とくに正方形の場合は９０度ずつ回転して付け変えられるようにしてもよい。管用パネル２７が円形の場合は、回転角度に制限を受けないようにすることができる。
【００２４】
機器本体１の左右の横側壁１６・１６のいずれの側からでも給排水管１１・１２が引き出せるようになっていると、現場での水道源との関係で配管上、都合が良い。その場合、左右の横側壁１６の一方から給水管１１を、他方から排水管１２をそれぞれ引き出すようにしてもよい。尤も、左右の一方の横側壁１６からのみ、給排水管１１・１２を引き出すようにして、図示例の凹入空間１５の他面側は盲板状のパネルで塞ぐようにしてあってもよい。
【図面の簡単な説明】
【００２５】
【図１】要部の斜視図
【図２】要部の縦断側面図
【図３】要部の縦断背面図
【図４】製氷機を前側から見た斜視図
【図５】製氷機の縦断正面図
【図６】管用パネルのひとつの取り付け例を示す側面図
【図７】管用パネルの他の取り付け例を示す側面図
【符号の説明】
【００２６】
１  機器本体
１１  給水管
１２  排水管
１６  機器本体の横側壁
２６  窓口
２７  管用パネル
３１  引出口
【図１】
0004842560.tif 000002
【図２】
0004842560.tif 000003
【図３】
0004842560.tif 000004
【図４】
0004842560.tif 000005
【図５】
0004842560.tif 000006
【図６】
0004842560.tif 000007
【図７】
0004842560.tif 000008